(57)【要約】【課題】  水平方向の荷重に強い貯水施設を提供する。【解決手段】  空隙組立体を前記空隙組立体よりも背の高い複数の外周壁で取り囲んだ帯水構造体と、前記複数の外周壁の上端に架設された天井を有することを特徴とする貯水施設とした。【選択図】  図１
2019044380.tif 000002
【特許請求の範囲】
【請求項１】
空隙組立体を前記空隙組立体よりも背の高い複数の外周壁で取り囲んだ帯水構造体と、
前記複数の外周壁の上端に架設され、前記前記空隙組立体の上部を覆う剛性材料の天井を有することを特徴とする貯水施設。
【請求項２】
前記天井が、前記外周壁の上端を収容する凹部を有する請求項１に記載の貯水施設。
【請求項３】
支持部材により前記外周壁を支持したことを特徴とする請求項１又は２の貯水施設。
【請求項４】
前記空隙組立体は、複数のブロックを３次元的に配列した組立体であり、前記ブロックは、水平方向に間隔を空けて配列されており、
前記支持部材は、水平方向に隣接する前記ブロックの間のスペースに配置されていることを特徴とする請求項３に記載の貯水施設。
【請求項５】
複数の前記帯水構造体を相互に離間させて配列し、前記帯水構造体の間に通路を形成したことを特徴とする請求項１〜４のいずれかの貯水施設。
【発明の詳細な説明】
【技術分野】
【０００１】
本発明は、雨水等を貯留又は浸透させるための貯水施設に関する。
【背景技術】
【０００２】
窪地等に高空隙率の空隙組立体を設置し、土で埋戻すことで、雨水の貯留空間を形成した貯水施設が知られている（特許文献１，２）。この貯水施設は、低コストであり、空隙組立体の空隙に大量の貯水が可能である。
【先行技術文献】
【特許文献】
【０００３】
【特許文献１】特開２００４−２１１３１６号公報
【特許文献２】特開２０１２−０９２５５２号公報
【特許文献３】特開平１０−２５２１０８号公報
【特許文献４】特開平１１−２２２８８６号公報
【特許文献５】特開２００８−２８０７７５号公報
【特許文献６】特開２００７−３３２６９２号公報
【発明の概要】
【発明が解決しようとする課題】
【０００４】
空隙組立体は、通常、プラスチック等からなる凹凸構造の単位部材（ブロック）を積み上げて連結した構造であり、荷重（特に水平方向の荷重）に対する強度が弱い問題があった。
【課題を解決するための手段】
【０００５】
本願には、下記発明が開示される。
＜構成１＞
空隙組立体を前記空隙組立体よりも背の高い複数の外周壁で取り囲んだ帯水構造体と、
前記複数の外周壁の上端に架設され、前記前記空隙組立体の上部を覆う剛性材料の天井を有することを特徴とする貯水施設。
＜構成２＞
前記天井が、前記外周壁の上端を収容する凹部を有する構成１に記載の貯水施設。
＜構成３＞
支持部材により前記外周壁を支持したことを特徴とする構成１又は２の貯水施設。
＜構成４＞
前記空隙組立体は、複数のブロックを３次元的に配列した組立体であり、前記ブロックは、水平方向に間隔を空けて配列されており、
前記支持部材は、水平方向に隣接する前記ブロックの間のスペースに配置されていることを特徴とする構成３に記載の貯水施設。
＜構成５＞
複数の前記帯水構造体を相互に離間させて配列し、前記帯水構造体の間に通路を形成したことを特徴とする構成１〜４のいずれかの貯水施設。
【図面の簡単な説明】
【０００６】
【図１】図１は、本発明の１実施形態の貯水施設１を示す。
【図２】図２は、例示的なブロック３１の斜視図、平面図及び側断面図を示す。
【図３】図3は、帯水構造体１０を側方から示す。
【図４】図4は、帯水構造体１０を上方から示す。
【図５】図５は、外周壁４０の斜視図を示す。
【図６】図６は、支持部材５０の斜視図、平面図及び側断面図を示す。
【図７】図７は、支持部材５２を示す。
【図８】図８は、他の実施形態の貯水施設１Ａを示す。
【図９】図９は、Ｚ状金具を示す。
【図１０】図１０は、図８（ａ）のＡ部分を拡大して示す。
【図１１】図１１は、ブロック３１の他の形状を示す。
【図１２】図１２は、帯水構造体１０の下方をコンクリート層８０で固めた状態を示す。
【発明を実施するための形態】
【０００７】
図１は、本発明の１実施形態の貯水施設１を示す。貯水施設１は、帯水構造体１０と天井２０を有する。帯水構造体１０は、空隙組立体３０と、空隙組立体３０の周囲を取り囲む複数の外周壁４０を有する。天井２０は、コンクリート・鉄筋コンクリート等の剛性材料（耐クリープ性の硬質材料）で形成するのがよい。貯水施設１は、窪地２に設置するのが好ましい。窪地２内の貯水施設１の周囲の空間は、地面３まで土で埋め戻すと、貯水施設１の上の空間を駐車場や公園等任意の目的で利用できる。空隙組立体１０の下地４は、砕石層や基礎コンクリート層とするとよい。貯水施設１は、図示しない流入管、流出管、溢流管、泥だめます、オリフィスなど必要に応じた付帯設備を有し得る。
【０００８】
空隙組立体３０は、複数のブロックで形成できる。ブロックは、空隙を形成できる形状がよい。図２は、例示的なブロック３１の斜視図、平面図及び側断面図を示す。図のブロック３１は、基部と、基部から上に延びる４本の脚を有する。ブロック３１は、例えば、特許文献３〜５や図１１ａ、ｂなどのような他の形状でもよい。ブロックは、硬質のプラスチック等で形成するとよい。
【０００９】
図３は、帯水構造体１０を側方から示す。図４は、帯水構造体１０を上方から示す。図のように、帯水構造体１０は、空隙組立体３０とその周囲に配列された複数の外周壁４０を有する。
【００１０】
空隙組立体３０は、上下前後左右に積み重ねられたブロック３１で構成される。隣接するブロック３１は、プラスチック等の連結部材３２で連結するとよい。ブロック３１は、他の方法（例えば、特許文献６）で連結してもよい。上下のブロック３１の連結や強度向上のため、ブロック３１の脚にコンクリート等で形成された補強柱３３を挿入するとよい。空隙組立体３０では、ブロック３１の脚部の間に空隙が形成されるので、大量の貯水が可能である。空隙組立体３０は、耐水性又は透水性のシート（不図示）で覆うとよい。
【００１１】
空隙組立体３０の周囲には、複数の外周壁４０が立設されている。外周壁４０は、空隙組立体３０よりも背が高い。各外周壁４０は、支持部材５０で支持するとよい。図４に示すように、支持部材５０は、隣接するブロック３１の間のスペースに配置するとよい。外周壁４０及び支持部材５０は、コンクリート・鉄筋コンクリート等の剛性材料（耐クリープ性の硬質材料）で形成するのがよい。
【００１２】
図５は、外周壁４０の斜視図を示す。外周壁４０は、下部両側に切欠４１を有する。図６は、支持部材５０の斜視図、平面図及び側断面図を示す。支持部材５０は、係合凹部５１を有する。切欠４１と係合凹部５１を一致させて係合凹部５１に外周壁４０を挿入することで、相欠き継ぎ式で支持部材５０に外周壁４０を固定することができる。
【００１３】
上記のように空隙組立体３０及び外周壁４０を配置してから、空隙組立体３０及び外周壁４０の上端に天井２０を架設し、天井２０により、空隙組立体３０の上面の全体を覆う。天井２０の架設に際しては、図３に示すように、外周壁４０及び空隙組立体３０の上端に保護シート６０を敷き、その上に生コンクリートを打設して硬化させるとよい。これにより、外周壁４０の上端を包み込むような凹部形状（外周壁４０の上端に相補的な凹部形状）が天井２０に形成される
【００１４】
貯水施設１では、外周壁４０が天井２０で連結された箱形の構造となるため、土圧等の荷重に対する強度が高い。特に、従来問題であった水平方向への荷重（図１矢印参照）に対する強度が高い。天井２０が、外周壁４０の上端を包み込む凹部を有すると、貯水施設１の強度が一層高くなる。
【００１５】
上記実施形態では、帯水構造体１０のコーナー部分（図４の破線部）に支持部材５０を配置していないが、図７（ａ）に示す形状のコーナー用の支持部材５２を使用し、図７（ｂ）のようにして外周壁４０を支持してもよい。図１２に示すように、空隙組立体３０の下方部分をコンクリート層８０で固めても良い。コンクリート層８０は、空隙組立体３０に生コンクリートを流し込むことで形成できる。コンクリート層８０は、支持部材５０の全部又は一部を埋込む高さにするとよい。
【００１６】
図８は、他の実施形態の貯水施設１Ａを示す。貯水施設１Ａは、間隔を空けて複数の帯水構造体１０が配置されており、その間に通路７０が形成されている。通路７０は、貯水施設１Ａの保守点検等に使用できる。
【００１７】
天井２０の架設に当たっては、通路７０の両側の外周壁４０に係止したＺ状金具２１（図９参照）の間にコンパネ２２を渡し、空隙組立体３０、外周壁４０、コンパネ２２の上面全体を覆うように保護シート６０を敷き（図１０参照）、その上の全体に生コンクリートを打設して硬化させるのがよい。これにより、天井２０に外周壁４０を包み込むような凹部形状が形成されるので、貯水施設１の土圧に対する強度が高くなる。天井２０が硬化した後でＺ状金具２１をバールでこじればコンパネ２２を取り外すことができるので、コンパネ２２が再利用できて経済的である。
【００１８】
上記実施形態に記載した貯水施設やその要素の寸法、形状、配置、個数、材料等は例示であり、他の態様も可能である。
【符号の説明】
【００１９】
１・・・貯水施設
２・・・窪地
３・・・地面
１０・・・帯水構造体
２０・・・天井
２１・・・Ｚ状金具
２２・・・コンパネ
３０・・・空隙組立体
３１・・・ブロック
３２・・・連結部材
３３・・・補強柱
４０・・・外周壁
４１・・・切欠
５０・・・支持部材
５１・・・係合凹部
６０・・・保護シート
７０・・・通路
【図１】
2019044380.tif 000003
【図２】
2019044380.tif 000004
【図３】
2019044380.tif 000005
【図４】
2019044380.tif 000006
【図５】
2019044380.tif 000007
【図６】
2019044380.tif 000008
【図７】
2019044380.tif 000009
【図８】
2019044380.tif 000010
【図９】
2019044380.tif 000011
【図１０】
2019044380.tif 000012
【図１１】
2019044380.tif 000013
【図１２】
2019044380.tif 000014